(57)【要約】【課題】構造が簡単で安価に構成し得ると共に、接続点が少なく信頼性の高いアンテナ用同軸コネクタを提供する。【解決手段】シェル３１は、シェル基部３２及び円筒状の結合部３３からなり、結合部３３に無線機のアンテナ端子に接続するための接続スリーブ１３を回転可能に装着する。シェル３１及び接続スリーブ１３の中心部には、絶縁体３４にサポートされた直線状の中心コンタクト３５を設け、その終端部にスリ割り部３６を設ける。シェル基部３２には、後面に半田付け用穴３７を形成すると共に一側面にアンテナ素子取付用ネジ穴４１を設ける。このネジ穴４１からアンテナ中心導体を内部に挿入して中心コンタクト３５のスリ割り部３６に差し込み、アンテナ素子基部をネジ穴４１に螺着する。アンテナ中心導体とスリ割り部３６とを半田付け用穴３７から半田付けした後、半田付け用穴３７に蓋３８を装着する。【選択図】    図１
2004303709.tif 000002
【特許請求の範囲】
【請求項１】
シェル基部及び該シェル基部に連結される円筒状の結合部からなるシェルと、前記結合部に回転可能に装着される接続スリーブと、前記シェル及び接続スリーブの中心部に絶縁体により同軸状に保持され、終端部が前記シェル基部の略中心部に位置するように設けられる直線状の中心コンタクトと、前記中心コンタクトの終端部に形成されるスリ割り部と、前記シェル基部の側面に形成されるアンテナ取付部と、前記シェル基部に形成され、前記スリ割り部に対する半田付け用穴と、前記半田付け用穴に着脱可能に設けられる蓋とを具備したことを特徴とするアンテナ用同軸コネクタ。
【請求項２】
前記半田付け用穴は、シェル基部の後面又は側面に形成したことを特徴とする請求項１記載のアンテナ用同軸コネクタ。
【請求項３】
前記半田付け用穴に装着される蓋及び前記アンテナ取付部に防水手段を設けたことを特徴とする請求項１又は２記載のアンテナ用同軸コネクタ。
【発明の詳細な説明】
【０００１】
【発明の属する技術分野】
本発明は、無線機のアンテナ端子にアンテナを取り付ける場合に使用するアンテナ用同軸コネクタに関する。
【０００２】
【従来の技術】
従来、図６に示すように無線機１の側面にアンテナ端子取付用の雌型同軸コネクタ２が設けられている場合、アンテナ素子との接続にＬ字形同軸コネクタが使用されている（例えば、特許文献１参照。）。
【０００３】
すなわち、図７（ａ）、（ｂ）に示すようにアンテナ素子４の給電点に雄タイプのＬ字形同軸コネクタ３を設け、アンテナ素子４を上方に向けるようにしている。この場合、アンテナ素子４は、アンテナ素子基部５の外周に形成したネジ部がＬ字形同軸コネクタ３のアンテナ取付部７に螺着される。また、アンテナ素子４は、アンテナ中心導体６を備え、このアンテナ中心導体６に無線機１から雌型同軸コネクタ２及びＬ字形同軸コネクタ３を介して給電される。
【０００４】
また、上記雌型同軸コネクタ２の先端部外側には、Ｌ字形同軸コネクタ３に結合するための結合用突起８が設けられている。この結合用突起８は、Ｌ字形同軸コネクタ３に設けられた接続スリーブ１３の溝１７に勘合する。上記溝１７は斜めに加工されており、接続スリーブ１３を回転することにより、結合用突起８と溝１７との結合によって所定の弾性力で両者が固定される。
【０００５】
上記同軸コネクタとしては、従来、ＪＩＳ規格品として例えばＮ型、ＢＮＣ型、ＴＮＣ型、Ｍ型等、複数種のものがあるが、上記Ｌ字形同軸コネクタ３は、ＢＮＣ−ＬＰ型のものを示している。
【０００６】
図８は上記Ｌ字形同軸コネクタ３の詳細な構成を示したもので、（ａ）は一部を切欠して示す平面図、（ｂ）は正面図、（ｃ）は右側面図である。同図において、１１は金属製のＬ字形シェルで、２つの直線状のシェル部材１２ａ、１２ｂをロー付けや半田付けにより接合してＬ字形としている。上記一方のシェル部材１２ａの先端部には、上記無線機１の雌型同軸コネクタ２に接続するための接続スリーブ１３が回転可能に装着される。上記シェル部材１２ａと接続スリーブ１３との結合部には、ガスケット１４、バネ座金１５、座金１６が介在され、Ｌ字形シェル１１に所定の力を加えることにより、接続スリーブ１３に対して３６０°回転できるようになっている。Ｌ字形シェル１１は、外部から力が加えられていない状態では、バネ座金１５の弾性力によって、その位置に保持される。
【０００７】
また、上記接続スリーブ１３には、上記雌型同軸コネクタ２の結合用突起８と結合するための溝１７が設けられる。Ｌ字形同軸コネクタ３を雌型同軸コネクタ２に装着する際、接続スリーブ１３の溝１７に結合用突起８を結合させ、接続スリーブ１３を所定量回動することにより、両者が固定されるようになっている。
【０００８】
また、他方のシェル部材１２ｂの先端部には、アンテナ取付部７が設けられ、その内側にアンテナ素子取付用ネジ穴１９が形成される。このアンテナ素子取付用ネジ穴１９に上記アンテナ素子基部５のネジ部が螺合される。
【０００９】
そして、上記Ｌ字形シェル１１の内部には、Ｌ字形の絶縁体２１にサポートされたＬ字形中心コンタクト（中心導体）２２が設けられる。このＬ字形中心コンタクト２２は、Ｌ字形シェル１１と同様に２つの直線状コンタクト素子をロー付けや半田付けにより接合してＬ字形としている。
【００１０】
また、上記Ｌ字形中心コンタクト２２には、シェル部材１２ｂ側にスリ割りが切ってあり、このスリ割り部内に中心コンタクト２３を圧入する。この中心コンタクト２３には、アンテナ取付部７側にスリ割り付の穴を設けており、この穴内にチップ２４を挿入する。このチップ２４の基部には、アンテナ中心導体挿入穴２５が設けられている。上記チップ２４は、予めアンテナ中心導体挿入穴２５に上記アンテナ素子４のアンテナ中心導体６を半田付けし、上記したように中心コンタクト２３のスリ割り付の穴内に挿入する。
【００１１】
上記Ｌ字形同軸コネクタ３は、ＢＮＣ−ＬＰ型について示したが、その他、ＮＬＰ型、ＴＮＣ−ＬＰ型、Ｍ−ＬＰ型においても同様である。
【００１２】
【特許文献１】
特開２００３−４５５８５号公報
【００１３】
【発明が解決しようとする課題】
上記のように従来のＬ字形同軸コネクタ３は、アンテナ素子４を上方に向けるためにシェル１１をＬ字形に形成する必要があり、また、それに伴って中心コンタクト２２もＬ字形に形成する必要がある。このためシェル１１及び中心コンタクト２２は、２つの部材をロー付や半田付けによりＬ字形に形成しなければならず、その加工が難しいと共に部品点数が多くなり、精度も低下し、かつ高価になるという問題がある。
【００１４】
また、図９に示すようにアンテナ素子４の給電点に設ける同軸コネクタをＬ字形ではなく、ストレートタイプの同軸コネクタ２６とした場合には、更にＬ字形アダプタ２７を設ける必要がある。従って、この方式を用いた場合においても高価になるという問題がある。
【００１５】
本発明は上記の課題を解決するためになされたもので、アンテナ素子の給電部の同軸コネクタをＬ字形としたり、Ｌ字形アダプタを設ける等の必要がなく、アンテナ素子を任意の３６０°方向に向けることができ、構造が簡単で安価に構成し得ると共に接続点が少なく信頼性の高いアンテナ用同軸コネクタを提供することを目的とする。
【００１６】
【課題を解決するための手段】
本発明に係るアンテナ用同軸コネクタは、シェル基部及び該シェル基部に連結される円筒状の結合部からなるシェルと、前記結合部に回転可能に装着される接続スリーブと、前記シェル及び接続スリーブの中心部に絶縁体により同軸状に保持され、終端部が前記シェル基部の略中心部に位置するように設けられる直線状の中心コンタクトと、前記中心コンタクトの終端部に形成されるスリ割り部と、前記シェル基部の側面に形成されるアンテナ取付部と、前記シェル基部に形成され、前記スリ割り部に対する半田付け用穴と、前記半田付け用穴に着脱可能に設けられる蓋とを具備したことを特徴とする。
【００１７】
上記の構成とすることにより、シェル及び中心コンタクトは、それぞれ一部品で構成できるので、複数の部材を使用してロー付け等でＬ字形に構成する必要がなく、構成を著しく簡易化することができる。このため接続点を少なくして精度を向上でき、安定した品質が得られると共に部品点数を減少して価格を大幅に低減することができる。また、中心コンタクトは、直線状であるので、１個の絶縁体で確実に保持することができ、その組込みや固定もきわめて容易に行なうことができる。また、シェル基部に半田付け用穴を設けているので、中心コンタクトのスリ割り部とアンテナ素子の中心導体との半田付けを確実且つ容易に行なうことできる。
【００１８】
【発明の実施の形態】
以下、図面を参照して本発明の実施形態を説明する。
（第１実施形態）
図１は本発明の第１実施形態に係るアンテナ用同軸コネクタ３０の全体構造を示すもので、（ａ）は一部を切欠して示す平面図、（ｂ）は正面図、（ｃ）は右側面図である。図２は同実施形態におけるアンテナ用同軸コネクタ３０をアンテナ素子基部５に取り付ける場合の説明図で、（ａ）は正面図、（ｂ）は一部を切欠して示す平面図である。図３は同実施形態におけるアンテナ用同軸コネクタ３０をアンテナ素子基部５に取り付けて無線機１の雌型同軸コネクタ２に装着した状態を示す斜視図である。
【００１９】
図１において、３１は金属製のシェルで、方形状のシェル基部３２の先端部に円筒状の結合部３３が形成されている。この結合部３３には、図３に示した無線機１の雌型同軸コネクタ２に接続するための接続スリーブ１３が回転可能に装着される。上記接続スリーブ１３は、同軸コネクタ３０の外導体部分となるため、シェル３１と同様に金属で構成される。
【００２０】
上記結合部３３と接続スリーブ１３との間には、ガスケット１４、バネ座金１５、座金１６が介在され、シェル３１に所定の力を加えることにより、接続スリーブ１３に対して結合部３３がスリップし、３６０°回転できるようになっている。シェル３１は、外部から力が加えられていないない状態では、バネ座金１５の弾性力によって、その位置に保持される。
【００２１】
また、上記接続スリーブ１３には、図３に示す雌型同軸コネクタ２の結合用突起８と結合するための溝１７が設けられる。アンテナ用同軸コネクタ３０を雌型同軸コネクタ２に装着する際、接続スリーブ１３の溝１７に結合用突起８を結合させ、接続スリーブ１３を所定量回動することにより、両者が固定されるようになっている。
【００２２】
上記シェル３１と接続スリーブ１３との結合部の構造及び接続スリーブ１３の構造は、一般に市販されているＪＩＳ規格品のＢＮＣ−Ｐ型と同様の構造となっている。
【００２３】
そして、上記シェル３１及び接続スリーブ１３の中心部には、絶縁体３４にサポートされた中心コンタクト３５が設けられる。上記絶縁体３４は、例えば接着剤やカシメ等によりシェル３１に固定される。上記中心コンタクト３５は、直線状に形成され、その終端部には図２に示すアンテナ素子４のアンテナ中心導体６を接続するためのスリ割り部３６が設けられる。このスリ割り部３６の位置は、シェル基部３２の中心に位置するように設定される。
【００２４】
また、シェル３１の後面、すなわちシェル基部３２の後面には、上記スリ割り部３６に対する半田付け用穴３７が形成され、この半田付け用穴３７の内周面にネジ溝が形成されている。上記半田付け用穴３７には、金属製の蓋３８が装着される。この蓋３８には、その外周面にネジ溝が形成されており、上記半田付け用穴３７に螺着するようになっている。上記蓋３８の背面には、該蓋３８をドライバにより回転させるための溝３９が設けられる。
【００２５】
更に、上記シェル３１の一側面、すなわち中心コンタクト３５に設けたスリ割り部３６に対向する一つの面にアンテナ取付部４０が設けられ、このアンテナ取付部４０にアンテナ素子基部５を螺着するためのアンテナ素子取付用ネジ穴４１が設けられる。
【００２６】
上記のように構成されたアンテナ用同軸コネクタ３０にアンテナ素子基部５を装着する場合、図２に示すようにシェル３１から蓋３８を取り外した後、アンテナ素子４のアンテナ中心導体６をシェル３１のアンテナ素子取付用ネジ穴４１から内部に挿入して中心コンタクト３５のスリ割り部３６に差し込み、この状態でアンテナ素子基部５をシェル３１のアンテナ素子取付用ネジ穴４１に螺着する。そして、上記アンテナ中心導体６とスリ割り部３６とを半田付け用穴３７から半田付けする。４２はその半田付け部分を示している。上記半田付け処理を終了した後、シェル３１の半田付け用穴３７に蓋３８を装着する。
【００２７】
そして、上記アンテナ素子４を装着したアンテナ用同軸コネクタ３０を図３に示すように無線機１の雌型同軸コネクタ２に差し込み、接続スリーブ１３を手で回転させて固定する。この状態で、アンテナ素子４に手で力を加えることにより、矢印ａで示すように３６０°任意に回転させて任意の位置で停止させることができる。これによりアンテナ素子４の位置（角度）を任意に調整することができる。
【００２８】
上記実施形態によれば、シェル３１及び中心コンタクト３５は、それぞれ一部品で構成できるので、複数の部材を使用してロー付け等でＬ字形に構成する必要がなく、構成を著しく簡易化することができる。このため接続点を少なくして精度を向上でき、安定した品質が得られると共に部品点数を減少して価格を大幅に低減することができる。また、１個の絶縁体３４で中心コンタクト３５を確実に保持することができ、その組込みや固定もきわめて容易に行なうことができる。更に、シェル基部３２に半田付け用穴３７を設けているので、中心コンタクト３５のスリ割り部とアンテナ中心導体６との半田付けを確実且つ容易に行なうことできる。
【００２９】
なお、上記実施形態では、ＢＮＣ−Ｐ型で説明したが、他の種類の同軸コネクタ例えばＮ型、ＴＮＣ型、Ｍ型等においても同様にして実施し得るものである。
【００３０】
（第２実施形態）
次に本発明の第２実施形態について、図４を参照して説明する。
図４（ａ）は、本発明の第２実施形態に係るアンテナ用同軸コネクタ３０の平面図、同図（ｂ）は右側面図である。上記第１実施形態がシェル基部３２を方形状に形成したのに対し、この第２実施形態ではシェル基部３２を丸形、すなわち円筒状に形成している。この場合、シェル基部３２におけるアンテナ素子基部５の取付面を平面状に形成するとよい。
【００３１】
上記のようにシェル基部３２を円筒状に形成することにより、アンテナ用同軸コネクタ３０を小型化することができる。
【００３２】
（第３実施形態）
次に本発明の第３実施形態について、図５を参照して説明する。
図５（ａ）は、本発明の第３実施形態に係るアンテナ用同軸コネクタ３０を一部切欠して示す平面図、同図（ｂ）は右側面図である。上記第１実施形態ではシェル基部３２の後面に半田付け用穴３７を設けが、この第３実施形態では、シェル基部３２に形成したアンテナ素子取付用ネジ穴４１と対向する面に半田付け用穴３７を設けている。このようにシェル基部３２の側面に半田付け用穴３７を設けた場合でも、第１実施形態の場合と同様に、半田付け用穴３７から蓋３８を取り外すことにより、中心コンタクト３５のスリ割り部３６とアンテナ中心導体６との半田付けを行なうことができる。
【００３３】
また、アンテナ用同軸コネクタ３０を防水構造とする場合には、例えば上記図５（ａ）に示すように、半田付け用穴３７の底部に平座金５０を介在すると共に蓋３８の底面にゴムパッキン５１を設け、また、シェル基部３２のアンテナ素子取付面に例えば合成ゴムで形成したＯリング５２等を設けることにより、容易に防水構造とすることができる。また、接続スリーブ１３の部分については、例えばゴム系のハイボンテープ、ビニールテープ等でテーピングして防水処理を行なう。
【００３４】
【発明の効果】
以上詳記したように本発明によれば、アンテナ用同軸コネクタにおけるシェル及び中心コンタクトは、それぞれ一部品で構成できるので、複数の部材を使用してロー付け等でＬ字形に構成する必要がなく、構成を著しく簡易化することができる。このため接続点を少なくして精度を向上でき、安定した品質が得られると共に部品点数を減少して価格を大幅に低減することができる。また、１個の絶縁体で中心コンタクトを確実に保持することができ、その組込みや固定もきわめて容易に行なうことができる。
【図面の簡単な説明】
【図１】（ａ）は本発明の第１実施形態に係るアンテナ用同軸コネクタの一部を切欠して示す平面図、（ｂ）は同正面図、（ｃ）は同右側面図。
【図２】同実施形態におけるアンテナ用同軸コネクタをアンテナ素子基部に取り付ける場合の説明図で、（ａ）は正面図、（ｂ）は一部を切欠して示す平面図。
【図３】同実施形態におけるアンテナ用同軸コネクタをアンテナ素子基部に取り付けて無線機の雌型同軸コネクタに装着した状態を示す斜視図。
【図４】（ａ）は本発明の第２実施形態に係るアンテナ用同軸コネクタの平面図、図（ｂ）は右側面図。
【図５】（ａ）は本発明の第３実施形態に係るアンテナ用同軸コネクタを一部切欠して示す平面図、（ｂ）は右側面図。
【図６】アンテナ端子取付用の雌型同軸コネクタを備えた無線機の斜視図。
【図７】（ａ）は従来のＬ字形同軸コネクタにアンテナ素子基部を挿入した場合の状態図、（ｂ）は同側面図。
【図８】従来のＬ字形同軸コネクタの構造図で、（ａ）は一部を切欠して示す平面図、（ｂ）は正面図、（ｃ）は右側面図。
【図９】従来のストレートタイプの同軸コネクタをアンテナ素子の給電点に設けた場合に、Ｌ字形アダプタを介して無線機のアンテナ端子に装着する場合の従来方法を示す図。
【符号の説明】
１…無線機
２…雌型同軸コネクタ
４…アンテナ素子
５…アンテナ素子基部
６…アンテナ中心導体
８…結合用突起
１３…接続スリーブ
１４…ガスケット
１５…バネ座金
１６…座金
１７…溝
１９…アンテナ素子取付用ネジ穴
３０…アンテナ用同軸コネクタ
３１…シェル
３２…シェル基部
３３…結合部
３４…絶縁体
３５…中心コンタクト
３６…スリ割り部
３７…半田付け用穴
３８…蓋
３９…溝
４０…アンテナ取付部
４１…アンテナ素子取付用ネジ穴
４２…半田付け部分
５０…平座金
５１…ゴムパッキン
５２…Ｏリング
【図１】
2004303709.tif 000003
【図２】
2004303709.tif 000004
【図３】
2004303709.tif 000005
【図４】
2004303709.tif 000006
【図５】
2004303709.tif 000007
【図６】
2004303709.tif 000008
【図７】
2004303709.tif 000009
【図８】
2004303709.tif 000010
【図９】
2004303709.tif 000011